(57)【要約】【課題】蓄電池に蓄えられた電力の消費を減らすことができる電源装置及び情報処理装置を提供することである。【解決手段】実施形態の電源装置及び情報処理装置は、蓄電池と、センサと、電力供給部と、電力供給制御部とを有する。蓄電池は、電力を蓄え直流電力を出力する。センサは、周囲の所定の範囲内にいる人を検知する。一つ以上の電力供給部は、前記蓄電池から電力を取得し、取得した電力を接続された負荷に供給する。電力供給制御部は、前記センサが人を検知した後に入力される信号であって、前記蓄電池が蓄える電力を前記電力供給部に供給することを指示する信号の入力に基づいて、前記蓄電池の電力を前記電力供給部へ供給する。【選択図】図１
2019041498.tif 000002
【特許請求の範囲】
【請求項１】
電力を蓄え直流電力を出力する蓄電池と、
周囲の所定の範囲内にいる人を検知するセンサと、
前記蓄電池から電力を取得し、取得した電力を接続された負荷に供給する一つ以上の電力供給部と、
前記センサが人を検知した後に入力される信号であって、前記蓄電池が蓄える電力を前記電力供給部に供給することを指示する信号の入力に基づいて、前記蓄電池の電力を前記電力供給部へ供給する電力供給制御部と、
を備える電源装置。
【請求項２】
前記電力供給部は、前記センサが人を検知した後は、予め定められた所定の時間が経過するまで、前記電力の供給を受ける第一の電力供給部と、前記センサが人を検知した後は、自装置に供給される電力が、前記信号に応じて前記電力供給制御部によって制御される第二の電力供給部とを備える、
請求項１に記載の電源装置。
【請求項３】
前記信号は、前記電力の供給対象の識別情報を含む、
請求項１又は２に記載の電源装置。
【請求項４】
前記センサは、焦電センサである。
請求項１に記載の電源装置。
【請求項５】
電力を蓄え直流電力を出力する蓄電池と、
周囲の所定の範囲内にいる人を検知するセンサと、
前記蓄電池から電力を取得し、取得した電力を接続された負荷に供給する一つ以上の電力供給部と、
前記センサが人を検知した後に入力される信号であって、前記蓄電池が蓄える電力を前記電力供給部の一部又は全部に供給することを指示する信号の入力に基づいて、前記蓄電池の電力を前記電力供給部へ供給する電力供給制御部と、
を備える情報処理装置。
【発明の詳細な説明】
【技術分野】
【０００１】
本発明の実施形態は、電源装置及び情報処理装置に関する。
【背景技術】
【０００２】
従来、省電力モードでの動作時や停電時等における動作に必要な電力を確保するために蓄電池等の有限の電力を有する電源装置を備えた複合機がある。このような複合機は、外部装置に電力を供給するための接続インタフェース（例えばＵＳＢ（Universal Serial Bus）など）を備えている場合がある。このような複合機が省電力モードでの動作時や停電時等において外部装置に電力を供給するためには、接続インタフェースに対して常時電力が供給されている必要がある。その場合、電力を供給すべき外部装置が接続されていないにもかかわらず、装置に内蔵された定着器等の接続インタフェースを備えない回路にも電力を供給しておく必要がある。そのため、外部装置が接続されていない時の、蓄電池に蓄えられた電力の消費を抑えられない場合があった。
【先行技術文献】
【特許文献】
【０００３】
【特許文献１】特開２００９−２２２８２４号公報
【発明の概要】
【発明が解決しようとする課題】
【０００４】
本発明が解決しようとする課題は、蓄電池に蓄えられた電力の消費を減らすことができる電源装置及び情報処理装置を提供することである。
【課題を解決するための手段】
【０００５】
実施形態の電源装置及び情報処理装置は、蓄電池と、センサと、電力供給部と、電力供給制御部とを有する。蓄電池は、電力を蓄え直流電力を出力する。センサは、周囲の所定の範囲内にいる人を検知する。一つ以上の電力供給部は、前記蓄電池から電力を取得し、取得した電力を接続された負荷に供給する。電力供給制御部は、前記センサが人を検知した後に入力される信号であって、前記蓄電池が蓄える電力を前記電力供給部に供給することを指示する信号の入力に基づいて、前記蓄電池の電力を前記電力供給部へ供給する。
【図面の簡単な説明】
【０００６】
【図１】第１の実施形態における電力供給システムの構成の具体例を示す図。
【図２】第１の実施形態の電源装置の機能構成の具体例を示す図。
【図３】第１の実施形態の電力供給制御部の機能構成の具体例を示す図。
【図４】第１の実施形態の電源装置がＤＣ負荷に電力供給を行う処理の流れの具体例を示すフローチャート。
【図５】第２の実施形態の情報処理装置の全体構成例を示す外観図。
【図６】第２の実施形態の情報処理装置のハードウェア構成の具体例を示す図。
【図７】第２の実施形態の情報処理装置における制御部の機能構成の具体例を示す図。
【図８】第２の実施形態の副電源装置の機能構成の具体例を示す図。
【図９】第２の実施形態の電力供給制御部の機能構成の具体例を示す図。
【図１０】第２の実施形態の情報処理装置が電力の供給を行う処理の流れの具体例を示すフローチャート。
【発明を実施するための形態】
【０００７】
以下、実施形態の電源装置及び情報処理装置を、図面を参照して説明する。
【０００８】
（第１の実施形態）
図１は、第１の実施形態における電力供給システム１００の構成の具体例を示す図である。電力供給システム１００は、電源装置１０、ＤＣ制御信号出力装置２０及びＡＣ制御信号出力装置３０を備える。電力供給システム１００は、電源装置１０をＤＣ制御信号出力装置２０又はＡＣ制御信号出力装置３０が制御し、電源装置１０に接続された負荷に電源装置１０が電力を供給するシステムである。第一の実施形態における電力供給システム１００は、ＤＣ負荷９００及びＡＣ負荷９０１が負荷として接続される。
【０００９】
電源装置１０は、接続されたＤＣ負荷９００及びＡＣ負荷９０１に対して電力を供給する装置である。電源装置１０は、商用電源に接続される。電源装置１０は、商用電源から電力の供給が受けられる場合には商用電源から供給される電力をＤＣ負荷９００及びＡＣ負荷９０１に供給する。電源装置１０は、商用電源から電力の供給が受けられない場合には、蓄電池に蓄えた電力をＤＣ負荷９００及びＡＣ負荷９０１に供給する。電源装置１０は、商用電源から供給される電力によって予め蓄電池に電力を蓄えておく。
【００１０】
ＤＣ負荷９００は、直流電力が印加されることで動作する１以上の電気機器である。ＤＣ負荷９００は、電源装置１０に接続され、電源装置１０から電力の供給を受けることができる。ＤＣ負荷９００は、例えば、ＵＳＢメモリや、テレビや、スマートフォンである。以下、実施形態の電源装置１０には、直流電力が印加されることで動作する一つの電気機器が接続されると仮定して説明するが、接続される電気機器は１つに限らない。
【００１１】
ＡＣ負荷９０１は、交流電力が印加されることで動作する１以上の電気機器である。ＡＣ負荷９０１は、電源装置１０に接続され、電源装置１０から電力の供給を受けることができる。ＡＣ負荷９０１は、例えば、ＩＨヒーター等の誘導加熱によって熱を発する定着装置である。以下、実施形態の電源装置１０には、交流電力が印加されることで動作する一つの電気機器が接続されると仮定して説明するが、接続される電気機器は１つに限らない。
【００１２】
ＤＣ制御信号出力装置２０は、ＤＣ負荷９００に対する電力の供給の開始を指示する信号（以下「第一ＤＣ供給開始信号」という。）を所定のタイミングで電源装置１０に出力する。ＤＣ制御信号出力装置２０は、ＤＣ負荷９００に対する電力の供給の停止を指示する信号（以下「第一ＤＣ供給停止信号」という。）を、所定のタイミングで電源装置１０に出力する。第一ＤＣ供給開始信号及び第一ＤＣ供給停止信号は、ＤＣ負荷９００が接続される電源装置１０の回路、を識別する識別情報（以下「第一ＤＣ識別情報」という。）を含む。
【００１３】
ＡＣ制御信号出力装置３０は、ＡＣ負荷９０１に対する電力の供給の開始を指示する信号（以下「第一ＡＣ供給開始信号」という。）と、ＡＣ負荷９０１に対する電力の供給の停止を指示する信号（以下「第一ＡＣ供給停止信号」という。）と、所定のタイミングで電源装置１０に出力する装置である。第一ＡＣ供給開始信号及び第一ＡＣ供給停止信号は、ＡＣ負荷９０１が接続される電源装置１０の回路、を識別する識別情報（以下「第一ＡＣ識別情報」という。）を含む。
【００１４】
電源装置１０は、ＤＣ制御信号出力装置２０が出力する第一ＤＣ供給開始信号を取得して、ＤＣ負荷９００に対する電力の供給を開始する。電源装置１０は、第一ＤＣ供給開始信号を取得した後、ＤＣ制御信号出力装置２０が出力する第一ＤＣ供給停止信号を取得して、ＤＣ負荷９００に対する電力の供給を停止する。電源装置１０は、ＡＣ制御信号出力装置３０が出力する第一ＡＣ供給開始信号を取得して、ＡＣ負荷９０１に対する電力の供給を開始する。電源装置１０は、第一ＡＣ供給開始信号を取得した後、ＡＣ制御信号出力装置３０が出力する第一ＡＣ供給停止信号を取得して、ＡＣ負荷９０１に対する電力の供給を停止する。
【００１５】
図２は、第１の実施形態の電源装置１０の機能構成の具体例を示す図である。電源装置１０はバスで接続されたプロセッサやメモリや補助記憶装置などを備え、プログラムを実行する。電源装置１０は、プログラムの実行によって、充電回路１１、蓄電池１２、入力部１３、第一ＤＣＤＣ変換回路１４、焦電センサ１５、電力供給制御部１６、第二ＤＣＤＣ変換回路１７及びＤＣＡＣ変換回路１８を備える装置として機能する。
【００１６】
充電回路１１は、商用電源に接続される。充電回路１１は、商用電源から電力の供給を受け、供給される電力の一部又は全部を蓄電池１２に供給する。
【００１７】
蓄電池１２は、充電回路１１から供給される電力を蓄える。蓄電池１２は、電力供給制御部１６の制御によって、電源装置１０が備える各機能部に電力を供給する。蓄電池１２は、商用電源による電力供給がある場合には、蓄えられた電力を消費することなく、電源装置１０が備える各機能部に対して、直流によって電力を供給する。電源装置１０が備える各機能部は、第一ＤＣＤＣ変換回路１４、焦電センサ１５、電力供給制御部１６、第二ＤＣＤＣ変換回路１７、ＤＣＡＣ変換回路１８及び入力部１３である。ただし、蓄電池１２は、焦電センサ１５に対しては、第一ＤＣＤＣ変換回路１４を介して電力を供給する。また、蓄電池１２は、ＤＣ負荷９００及びＡＣ負荷９０１に対しては、それぞれ第二ＤＣＤＣ変換回路１７及びＤＣＡＣ変換回路１８を介して電力を供給する。蓄電池１２は、例えば、リチウムイオン電池や、ニッケル水素電池や、ＮＡＳ（ナトリウム硫黄）電池である。
【００１８】
入力部１３は、ＤＣ制御信号出力装置２０から第一ＤＣ供給開始信号及び第一ＤＣ供給停止信号を取得し、ＡＣ制御信号出力装置３０から第一ＡＣ供給開始信号及び第一ＡＣ供給停止信号を取得する。入力部１３は、取得した第一ＤＣ供給開始信号、第一ＤＣ供給停止信号、第一ＡＣ供給開始信号及び第一ＡＣ供給停止信号を電力供給制御部１６に出力する。入力部１３は、蓄電池１２による電力供給が途絶えない限り動作する。
【００１９】
第一ＤＣＤＣ変換回路１４は、蓄電池１２によって供給される電力を、焦電センサ１５が動作可能な電力に変換し、変換した電力を焦電センサ１５に供給する。第一ＤＣＤＣ変換回路１４は、蓄電池１２による電力供給が途絶えない限り、焦電センサ１５に電力を供給する。第一ＤＣＤＣ変換回路１４は、例えば、変圧器を備えた回路である。
【００２０】
焦電センサ１５は、所定の範囲内に人がいることを検知する。低消費電力のセンサである。焦電センサ１５は、第一ＤＣＤＣ変換回路１４による電力供給を受けて動作する。焦電センサ１５は、所定の範囲内に人がいることを検知した場合、人がいることを示す信号（以下「検知信号」という。）を電力供給制御部１６に出力する。
なお、焦電センサＩ５は、必ずしも焦電センサである必要はなく、所定の範囲内に人がいることを検知する低消費電力のセンサであればどのようなものであってもよい。焦電センサ１５は、例えば、測距センサであってもよい。なお、「低消費電力」は、例えば、単位時間の消費電力が１０ｍＷ／ｈ以下の消費電力を意味する。
なお、焦電センサは、測距センサと比較して広い範囲で、人の感知が可能である。
【００２１】
電力供給制御部１６は、焦電センサ１５から検知信号が出力された場合に、電源装置１０の制御を開始する。電力供給制御部１６は、焦電センサ１５が出力した検知信号を取得した後に、第一供給開始信号を取得した場合に、その第一供給開始信号に基づいて制御を行う。また、電力供給制御部１６は、第一供給開始信号を取得した後に、第一供給停止信号を取得した場合に、その第一供給停止信号に基づいて制御を行う。電力供給制御部１６は、第一供給開始信号又は第一供給停止信号に基づいて、電源装置１０が備える各電力変換回路への蓄電池１２による電力供給を制御する。第一供給開始信号は、第一ＤＣ供給開始信号及び第一ＡＣ供給開始信号である。第一供給停止信号は、第一ＤＣ供給停止信号及び第一ＡＣ供給停止信号である。電源装置１０が備える各電力変換回路は、第二ＤＣＤＣ変換回路１７及びＤＣＡＣ変換回路１８である。
【００２２】
電力供給制御部１６は、第一ＤＣ供給開始信号を取得した後には、蓄電池１２による電力供給が途絶えない限り、第一ＤＣ供給停止信号を取得するまで制御を続ける。また、電力供給制御部１６は、第一ＡＣ供給開始信号を取得した後には、蓄電池１２による電力供給が途絶えない限り、第一ＡＣ供給停止信号を取得するまで制御を続ける。
電力供給制御部１６は、焦電センサ１５が出力した検知信号を取得するまでは電源装置１０の制御を開始しない。
また、電力供給制御部１６は、検知信号を取得した後、予め定められた所定の時間までに検知信号、第一ＤＣ供給開始信号又は第一ＡＣ供給開始信号を取得しない場合には、待機状態に戻る。待機状態は、本実施形態においては、電力供給制御部１６が電源装置１０の制御をしない状態である。待機状態は、検知信号が自装置に入力されるのを待機する状態である。
【００２３】
図３は、第１の実施形態の電力供給制御部１６の機能構成の具体例を示す図である。電力供給制御部１６は、ＤＣ給電判定部１６１、第二ＤＣ給電制御部１６２、ＡＣ給電判定部１６３及びＡＣ給電制御部１６４を備える。
【００２４】
ＤＣ給電判定部１６１は、検知信号を取得した後に第一ＤＣ供給開始信号を取得した場合に、取得した第一ＤＣ供給開始信号が含む第一ＤＣ識別情報が示す回路を識別する。次に、ＤＣ給電判定部１６１は、その第一ＤＣ識別情報が示す回路への給電を指示する信号（以下「ＤＣ給電開始信号」という。）を第二ＤＣ給電制御部１６２に出力する。具体的には、電力供給システム１００の場合、まずＤＣ給電判定部１６１は、第一ＤＣ識別情報が示す回路が第二ＤＣＤＣ変換回路１７であると識別する。次に、ＤＣ給電判定部１６１は、第二ＤＣＤＣ変換回路１７に給電することを指示する信号を第二ＤＣ給電制御部１６２に出力する。
【００２５】
ＤＣ給電判定部１６１は、検知信号を取得した後に第一ＤＣ供給停止信号を取得した場合に、取得した第一ＤＣ供給停止信号が含む第一ＤＣ識別情報が示す回路を識別する。次に、ＤＣ給電判定部１６１は、その第一ＤＣ識別情報が示す回路への給電を停止することを指示する信号（以下「ＤＣ給電停止信号」という。）を第二ＤＣ給電制御部１６２に出力する。具体的には、電力供給システム１００の場合、まずＤＣ給電判定部１６１は、識別情報が示す回路が第二ＤＣＤＣ変換回路１７であると識別する。次に、ＤＣ給電判定部１６１は、第二ＤＣＤＣ変換回路１７への給電を停止することを指示する信号を第二ＤＣ給電制御部１６２に出力する。
【００２６】
第二ＤＣ給電制御部１６２は、ＤＣ給電判定部１６１によって出力されたＤＣ給電開始信号が指示する回路に対して、蓄電池１２が蓄える電力を供給するように電源装置１０を制御する。具体的には、電力供給システム１００の場合、第二ＤＣ給電制御部１６２は、蓄電池１２が蓄える電力を第二ＤＣＤＣ変換回路１７に給電するよう電源装置１０を制御する。第二ＤＣ給電制御部１６２は、例えば、トランジスタを備える回路である。この場合、第二ＤＣ給電制御部１６２が備えるトランジスタのベースには、ＤＣ給電判定部１６１が出力するＤＣ給電開始信号の電圧が印加される。そのトランジスタは、ベースに印加された電圧によってコレクタ電流が制御されるトランジスタである。さらに、そのトランジスタのベースには、ＤＣ給電開始信号が反転した信号としてＤＣ給電停止信号が印加されるトランジスタである。
【００２７】
ＡＣ給電判定部１６３は、検知信号を取得した後に第一ＡＣ供給開始信号を取得した場合に、取得した第一ＡＣ供給開始信号に含まれる第一ＡＣ識別情報が示す回路を識別する。次に、ＡＣ給電判定部１６３は、その第一ＡＣ識別情報が示す回路への給電を指示する信号（以下「ＡＣ給電開始信号」という。）をＡＣ給電制御部１６４に出力する。具体的には、電力供給システム１００の場合、まずＡＣ給電判定部１６３は、第一ＡＣ識別情報が示す回路がＤＣＡＣ変換回路１８であると識別する。次に、ＡＣ給電判定部１６３は、ＤＣＡＣ変換回路１８に給電することを指示する信号をＡＣ給電制御部１６４に出力する。
【００２８】
ＡＣ給電判定部１６３は、検知信号を取得した後に第一ＡＣ供給停止信号を取得した場合に、第一ＡＣ供給停止信号に含まれる第一ＡＣ識別情報が示す回路を識別する。次に、ＡＣ給電判定部１６３は、その第一ＡＣ識別情報が示す回路への給電を停止することを指示する信号（以下「ＡＣ給電停止信号」という。）をＡＣ給電制御部１６４に出力する。具体的には、電力供給システム１００の場合、まずＡＣ給電判定部１６３は、第一ＡＣ識別情報が示す回路がＤＣＡＣ変換回路１８であると識別する。次に、ＡＣ給電判定部１６３は、ＤＣＡＣ変換回路１８への給電を停止することを指示する信号をＡＣ給電制御部１６４に出力する。
【００２９】
ＡＣ給電制御部１６４は、ＡＣ給電判定部１６３によって出力されたＡＣ給電開始信号が示す回路に対して、蓄電池１２が蓄える電力を供給するように電源装置１０を制御する。具体的には、電力供給システム１００の場合、ＡＣ給電制御部１６４は、蓄電池１２が蓄える電力をＤＣＡＣ変換回路１８に給電するよう電源装置１０を制御する。ＡＣ給電制御部１６４は、例えば、トランジスタを備える回路である。すなわち、その回路のトランジスタは、ＡＣ給電判定部１６３が出力するＡＣ給電開始信号の電圧をベースに印加される電圧とするトランジスタである。そのトランジスタは、ベースに印加された電圧によってコレクタ電流が制御されるトランジスタである。さらに、そのトランジスタのベースには、ＡＣ給電開始信号が反転した信号としてＡＣ給電停止信号が印加されるトランジスタである。
【００３０】
図２の説明に戻る。第二ＤＣＤＣ変換回路１７は、入力側の端子において蓄電池１２に接続され、第二ＤＣ給電制御部１６２の制御を受けて、蓄電池１２から電力の供給を受ける。第二ＤＣＤＣ変換回路１７は、出力側の端子において、ＤＣ負荷９００に接続される。第二ＤＣＤＣ変換回路１７は、蓄電池１２によって供給された電力を、ＤＣ負荷９００が動作可能な電力に変換し、変換した電力をそのＤＣ負荷９００に供給する。
【００３１】
ＤＣＡＣ変換回路１８は、入力側の端子において蓄電池１２に接続され、ＡＣ給電制御部１６４の制御を受けて、蓄電池１２から電力の供給を受ける。ＤＣＡＣ変換回路１８は、出力側の端子において、ＡＣ負荷９０１に接続される。ＤＣＡＣ変換回路１８は、蓄電池１２によって供給された電力を、ＡＣ負荷９０１が動作可能な電力に変換し、変換した電力をＡＣ負荷９０１に供給する。
【００３２】
図４は、第１の実施形態の電源装置１０がＤＣ負荷９００に電力供給を行う処理の流れの具体例を示すフローチャートである。より具体的には、焦電センサ１５が人を検知した場合における、実施形態の電源装置１０がＤＣ負荷９００に電力供給を行う処理の流れの具体例を示すフローチャートである。なお、焦電センサ１５が人を検知しない場合には、実施形態の電源装置１０は、第一ＤＣ供給開始信号を待機する状態を維持する。
【００３３】
焦電センサ１５が人を検知し、検知信号を出力する（ＡＣＴ１０１）。検知信号を取得したＤＣ給電判定部１６１は、第一ＤＣ供給開始信号を取得したか否かを判定する（ＡＣＴ１０２）。第一ＤＣ供給開始信号を取得したＤＣ給電判定部１６１は（ＡＣＴ１０２：Ｙｅｓ）、取得した第一ＤＣ供給開始信号に含まれる第一ＤＣ識別情報が示す回路を識別する（ＡＣＴ１０３）。具体的には、ＤＣ給電判定部１６１は、取得した第一ＤＣ供給開始信号に含まれる第一ＤＣ識別情報が示す回路が第二ＤＣＤＣ変換回路１７であると識別する。第一ＤＣ識別情報が示す回路を識別したＤＣ給電判定部１６１は、ＤＣ給電開始信号を出力する（ＡＣＴ１０４）。ＤＣ給電開始信号を取得した第二ＤＣ給電制御部１６２は、第一ＤＣ供給開始信号が示す回路に給電するよう電源装置１０を制御し、その回路に給電する（ＡＣＴ１０４）。具体的には、第二ＤＣ給電制御部１６２は、電源装置１０を制御し、第二ＤＣＤＣ変換回路１７に、蓄電池１２が蓄える電力の一部又は全部を供給する。
【００３４】
第二ＤＣＤＣ変換回路１７に給電を開始した後、ＤＣ給電判定部１６１は、第一ＤＣ供給停止信号を取得したか否かを判定する（ＡＣＴ１０５）。ＤＣ給電判定部１６１が、第一ＤＣ供給停止信号を取得していない場合には（ＡＣＴ１０５：Ｎｏ）、第二ＤＣＤＣ変換回路１７への給電が継続される。一方、ＤＣ給電判定部１６１が、第一ＤＣ供給停止信号を取得した場合には（ＡＣＴ１０５：Ｙｅｓ）、ＤＣ給電判定部１６１は、第二ＤＣ給電制御部１６２に、ＤＣ給電停止信号を送信する。ＤＣ給電停止信号を取得した第二ＤＣ給電制御部１６２は、ＤＣ給電停止信号が示す回路への給電を停止する。具体的には、第二ＤＣ給電制御部１６２は、第二ＤＣＤＣ変換回路１７への給電を停止する（ＡＣＴ１０６）。
【００３５】
一方、ＡＣＴ１０２において、ＤＣ給電判定部１６１が第一ＤＣ供給開始信号を取得しなかった場合は、電源装置１０は、第一ＤＣ供給開始信号を待機する状態になる。
【００３６】
なお、第１の実施形態の電源装置１０がＡＣ負荷９００に電力供給を行う場合の処理（以下「ＡＣ処理１」という。）は、図４のフローチャートで表される処理（以下「ＤＣ処理１」という。）と以下の点で異なる以外は同様の処理である。ＡＣ処理１は、ＤＣ給電判定部１６１に代えてＡＣ給電判定部１６３である点でＤＣ処理１と異なる。ＡＣ処理１は、第一ＤＣ供給開始信号に代えて第一ＡＣ供給開始信号である点でＤＣ処理１と異なる。ＡＣ処理１は、第一ＤＣ識別情報に代えて第一ＡＣ識別情報である点でＤＣ処理１と異なる。ＡＣ処理１は、ＤＣ給電開始信号に代えてＡＣ給電開始信号である点でＤＣ処理１と異なる。ＡＣ処理１は、第二ＤＣ給電制御部１６２に代えてＡＣ給電制御部１６４である点でＤＣ処理１と異なる。ＡＣ処理１は、第二ＤＣＤＣ変換回路１７に代えてＤＣＡＣ変換回路１８である点でＤＣ処理１と異なる。
【００３７】
このように構成された実施形態の電源装置１０は、蓄電池１２と、焦電センサ１５と、電力供給制御部１６と、第二ＤＣＤＣ変換回路１７と、ＤＣＡＣ変換回路１８とを備える。したがって、ユーザが近付いた時であって、かつ、接続された負荷に対して電力を供給することを指示する信号が入力された時に、負荷ごとにその負荷が接続された回路（具体的には、第二ＤＣＤＣ変換回路１７又はＤＣＡＣ変換回路１８）へ選択的に給電することができ、蓄電池１２が蓄える電力の消費を減らすことができる。
【００３８】
（第２の実施形態）
図５は、第２の実施形態の情報処理装置２００の全体構成例を示す外観図である。情報処理装置２００は、例えば、複合機、ＰＯＳ（Point of sale system）端末、ラベルプリンタ等である。以降の説明では、情報処理装置２００として、画像形成部を有する複合機を例に説明を行う。
情報処理装置２００は、ディスプレイ２１０、コントロールパネル２２０、画像形成部２３０、シート収容部２４０及び画像読取部３００を備える。なお、情報処理装置２００の画像形成部２３０は、トナー像を定着させる装置であってもよいし、インクジェット式の装置であってもよい。
情報処理装置２００は、シート上に表れている画像を読み取ってデジタルデータを生成し、画像ファイルを生成する。シートは、例えば原稿や、文字や画像などが記載された紙などである。シートは、情報処理装置２００が読み取ることができる物であればどのような物であってもよい。
【００３９】
ディスプレイ２１０は、液晶ディスプレイ、有機ＥＬ（Electro Luminescence）ディスプレイ等の画像表示装置である。ディスプレイ２１０は、情報処理装置２００に関する種々の情報を表示する。
【００４０】
コントロールパネル２２０は、複数のボタンを有する。コントロールパネル２２０は、ユーザの操作を受け付ける。コントロールパネル２２０は、ユーザによって行われた操作に応じた信号を、情報処理装置２００の制御部に出力する。なお、ディスプレイ２１０とコントロールパネル２２０とは一体のタッチパネルとして構成されてもよい。
【００４１】
画像形成部２３０は、画像読取部３００によって生成された画像情報又は通信路を介して受信された画像情報に基づいて、シート上に画像を形成する。画像形成部２３０は、例えば以下のような処理によって画像を形成する。画像形成部２３０の画像形成部は、画像情報に基づいて感光体ドラム上に静電潜像を形成する。画像形成部２３０の画像形成部は、静電潜像に現像剤を付着させることによって可視像を形成する。現像剤の具体例として、トナーがある。画像形成部２３０の転写部は、可視像をシート上に転写する。画像形成部２３０の定着部２３１は、シートに対して加熱及び加圧を行うことによって、可視像をシート上に定着させる。なお、画像が形成されるシートは、シート収容部２４０に収容されるシートであってもよいし、手指しされたシートであってもよい。
【００４２】
シート収容部２４０は、画像形成部２３０における画像形成に用いられるシートを収容する。
【００４３】
画像読取部３００は、読み取り対象の画像情報を光の明暗として読み取る。画像読取部３００は、読み取られた画像情報を記録する。記録された画像情報は、ネットワークを介して他の情報処理装置に送信されてもよい。記録された画像情報は、画像形成部２３０によってシート上に画像形成されてもよい。
【００４４】
図６は、第２の実施形態の情報処理装置２００のハードウェア構成の具体例を示す図である。情報処理装置２００は、バス９０で接続されたプロセッサ２０１やメモリ２０２や補助記憶装置２０３などを備え、プログラムを実行する。情報処理装置２００は、プログラムの実行によってディスプレイ２１０、コントロールパネル２２０、画像形成部２３０、電源切換部２５０、ＤＣ端子２６０、主電源装置２７０、制御部２８０及び副電源装置１０ａを備える装置として機能する。
プロセッサ２０１、メモリ２０２、補助記憶装置２０３、ディスプレイ２１０及びコントロールパネル２２０は、直流によって給電されることで機能する。そのため、以下、プロセッサ２０１、メモリ２０２、補助記憶装置２０３、ディスプレイ２１０及びコントロールパネル２２０をそれぞれ区別しない場合、ＤＣ部の装置という。
一方、画像形成部２３０及び電源切換部２５０は、交流によって給電されることで機能する。そのため、以下、画像形成部２３０及び電源切換部２５０をそれぞれ区別しない場合、ＡＣ部の装置という。ＡＣ部の装置は、第一の実施形態におけるＡＣ負荷９０１の具体例である。
【００４５】
電源切換部２５０は、情報処理装置２００に電力を供給する装置を主電源装置２７０から副電源装置１０ａに切換える。電源切換部２５０は、情報処理装置２００に電力を供給する装置（以下「電力源」という。）を副電源装置１０ａから主電源装置２７０に切換える。電源切換部２５０は、主電源装置２７０が情報処理装置２００に電力を供給できなくなったときに、情報処理装置２００の電力源を主電源装置２７０から副電源装置１０ａに切換える。主電源装置２７０が情報処理装置２００に電力を供給できなくなった時とは、たとえば、停電時である。以下、主電源装置２７０が情報処理装置２００に電力を供給できなくなったときを、略停電時という。
【００４６】
電源切換部２５０は、略停電時ではない場合にも、制御部２８０の制御を受けて、情報処理装置２００の電力源を主電源装置２７０に代えて副電源装置１０ａに切換えてよい。所定の場合とは、例えば、情報処理装置２００に対して省電力モードで動作することを指示する信号がコントロールパネル２２０を介してユーザによって入力された場合等である。
【００４７】
電源切換部２５０は、略停電時に情報処理装置２００の電力源を副電源装置１０ａに切換える仕組みを備える機能部であればどのような機能部であってもよい。例えば、電源切換部２５０は、以下の仕組みを備える機能部であってもよい。電源切換部２５０は、電源切換部２５０にのみ電力を供給する容量の小さな電池を備え、略停電時に、その電池の電力を用いて副電源装置１０ａを電力供給源に切換えてもよい。
【００４８】
ＤＣ端子２６０は、直流電力が印加されることで駆動する装置、に接続される端子である。ＤＣ端子２６０は、直流電力が印加されることで駆動する装置であって、接続された装置に対して電力を印加する。直流電力が印加されることで駆動する装置は、例えば、第一の実施形態におけるＤＣ負荷９００である。
【００４９】
主電源装置２７０は、商用電源に接続され、商用電源が主電源装置２７０に供給する電力を情報処理装置２００の各機能部に給電する。主電源装置２７０は、商用電源によって供給された電力を情報処理装置２００の各機能部に供給する。そのため、主電源装置２７０は、略停電時には、情報処理装置２００に給電できない。
【００５０】
プロセッサ２０１、メモリ２０２及び補助記憶装置２０３は、プロセッサ２０１がメモリ２０２及び補助記憶装置２０３に記憶されたプログラムを実行することで、情報処理装置２００の制御部２８０として機能する。
【００５１】
図７は、第２の実施形態の情報処理装置２００における制御部２８０の機能構成の具体例を示す図である。制御部２８０は、電源切換判定部２８０１を備える。
【００５２】
電源切換判定部２８０１は、情報処理装置２００の電力源を主電源装置２７０とするか副電源装置１０ａとするかを判定する。電源切換判定部２８０１は、主電源指示信号が入力されたか否かを判定する。主電源指示信号とは、情報処理装置２００の電力源を主電源装置２７０とすることを指示する信号である。また、電源切換判定部２８０１は、副電源指示信号が入力されたか否かを判定する。副電源指示信号は、情報処理装置２００の電力源を副電源装置１０ａとすることを指示する信号である。主電源指示信号及び副電源指示信号は、例えば、コントロールパネル２２０を介してユーザによって入力される。また、副電源指示信号は、主電源装置２７０による情報処理装置２００の各機能部への電力の供給が途絶えた時に、制御部２８０等によって出力されてもよい。制御部２８０等は、制御部２８０自体が内蔵する容量の小さな電池に蓄えられた電力等を用いて電源切換判定部２８０１に副電源指示信号を出力してもよい。
電源切換判定部２８０１は、判定結果を電源切換部２５０に出力する。
【００５３】
図６の説明に戻る。副電源装置１０ａは、情報処理装置２００に電力を供給する。副電源装置１０ａは、蓄電池１２に代えて蓄電池１２ａを備える点、入力部１３に代えて入力部１３ａを備える点、電力供給制御部１６に代えて電力供給制御部１６ａを備える点、第三ＤＣＤＣ変換回路１９を備える点で、第一の実施形態の電源装置１０と異なる。以下、図２と同様の機能を持つものに対しては、図２と同じ符号を付すことによって説明を省略する。
【００５４】
図８は、実施形態の副電源装置１０ａの機能構成の具体例を示す図である。
蓄電池１２ａは、電源切換部２５０によって、主電源装置２７０の代わりに情報処理装置２００の電力源に切換えられる点で、第一の実施形態の蓄電池１２と異なる。蓄電池１２ａは、充電回路１１によって供給された電力を蓄える。蓄電池１２ａは、電力供給制御部１６ａの制御によって、副電源装置１０ａが備える各機能部に電力を供給する。蓄電池１２ａは、商用電源による電力供給がある場合には、蓄えられた電力を消費することなく、副電源装置１０ａが備える各機能部に、直流によって電力を供給する。副電源装置１０ａが備える各機能部は、入力部１３ａ、第一ＤＣＤＣ変換回路１４、焦電センサ１５、電力供給制御部１６ａ、第二ＤＣＤＣ変換回路１７、ＤＣＡＣ変換回路１８及び第三ＤＣＤＣ変換回路１９である。ただし、蓄電池１２ａは、焦電センサ１５に対しては、第一ＤＣＤＣ変換回路１４を介して電力を供給する。また、蓄電池１２ａは、ＤＣ負荷９００と、ＡＣ部の装置と、ＤＣ部の装置とには、それぞれ第二ＤＣＤＣ変換回路１７と、ＤＣＡＣ変換回路１８と、第三ＤＣＤＣ変換回路１９とを介して電力を供給する。蓄電池１２ａは、例えば、リチウムイオン電池や、ニッケル水素電池や、ＮＡＳ（ナトリウム硫黄）電池である。
前述したように、蓄電池１２ａは、電源切換部２５０によって、主電源装置２７０の代わりに情報処理装置２００の電力源に切換えられる。動力源の切換えは、例えば、主電源装置２７０に接続されていた回路の端子が、電源切換部２５０によって、副電源装置１０ａの蓄電池１２ａに接続されることで行われる。
【００５５】
電力供給制御部１６ａは、焦電センサ１５から検知信号が出力された場合に、副電源装置１０ａの制御を開始する。電力供給制御部１６ａは、焦電センサ１５が出力した検知信号を取得した場合、第三ＤＣＤＣ変換回路１９への蓄電池１２ａによる電力供給を行うよう副電源装置１０ａを制御する。電力供給制御部１６ａは、焦電センサ１５が出力した検知信号を取得した後に、第二供給開始信号を取得した場合に、その第二供給開始信号に基づいて制御を行う。また、電力供給制御部１６は、第二供給開始信号を取得した後に、第二供給停止信号を取得した場合に、その第二供給停止信号に基づいて制御を行う。電力供給制御部１６は、第二供給開始信号又は第二供給停止信号に基づいて、第三ＤＣＤＣ変換回路１９を除く、電源装置１０が備える各電力変換回路への蓄電池１２による電力供給を制御する。
【００５６】
第二供給開始信号は、第二ＤＣ供給開始信号及び第二ＡＣ供給開始信号である。第二供給停止信号は、第二ＤＣ供給停止信号及び第二ＡＣ供給停止信号である。副電源装置１０ａが備える各電力変換回路は、第二ＤＣＤＣ変換回路１７及びＤＣＡＣ変換回路１８である。第二ＤＣ供給開始信号、第二ＤＣ供給停止信号、第二ＡＣ供給開始信号及び第二ＡＣ供給停止信号は、コントロールパネル２２０を介してユーザによって入力される信号である。第二ＤＣ供給開始信号は、ＤＣ端子２６０に接続される装置に給電することを指示する信号である。第二ＤＣ供給停止信号は、ＤＣ端子２６０に接続される装置への給電を停止することを指示する信号である。第二ＡＣ供給開始信号は、ＡＣ部の装置に給電することを指示する信号である。第二ＡＣ供給停止信号は、ＡＣ部の装置への給電を停止することを指示する信号である。第二ＤＣ供給開始信号及び第二ＤＣ供給停止信号は、ＤＣ端子２６０が接続される電源装置１０の回路を識別する識別情報（以下「第二ＤＣ識別情報」という。）を含む。第二ＡＣ供給開始信号及び第二ＡＣ供給停止信号は、ＡＣ部の装置のそれぞれが接続される電源装置１０の回路を識別する識別情報（以下「第二ＡＣ識別情報」という。）を含む。
【００５７】
電力供給制御部１６ａは、第二ＤＣ供給開始信号を取得した後には、蓄電池１２ａによる電力供給が途絶えない限り、第二ＤＣ供給停止信号を取得するまで制御を続ける。また、電力供給制御部１６ａは、第二ＡＣ供給開始信号を取得した後には、蓄電池１２ａによる電力供給が途絶えない限り、第二ＡＣ供給停止信号を取得するまで制御を続ける。
電力供給制御部１６ａは、焦電センサ１５が出力した検知信号を取得するまでは電源装置１０の制御を開始しない。
また、電力供給制御部１６ａは、検知信号を取得した後、予め定められた所定の時間までに検知信号、第二ＤＣ供給開始信号又は第二ＡＣ供給開始信号を取得しない場合には、待機状態に戻る。待機状態は、本実施形態においては、電力供給制御部１６ａが電源装置１０の制御をしない状態である。待機状態は、検知信号が自装置に入力されるのを待機する状態である。
【００５８】
図９は、実施形態の電力供給制御部１６ａの機能構成の具体例を示す図である。電力供給制御部１６ａは、第三ＤＣ給電制御部１６５を備える点で第一の実施形態の電力供給制御部１６と異なる。以下、電力供給制御部１６と同様の機能をもつものに対しては、図３と同じ符号を付すことで説明を省略する。
【００５９】
第三ＤＣ給電制御部１６５は、検知信号を取得した場合に、蓄電池１２ａが蓄える電力が第三ＤＣＤＣ変換回路１９に供給されるように電源装置１０を制御する。
【００６０】
図８の説明に戻る。第三ＤＣＤＣ変換回路１９は、蓄電池１２によって供給される電力を、ＤＣ部の装置が動作可能な電力に変換する。第三ＤＣＤＣ変換回路１９は、変換した電力を接続されたＤＣ部の装置に供給する。第三ＤＣＤＣ変換回路１９は、電力供給制御部１６ａが検知信号を取得した後、待機状態になるまで、蓄電池１２による電力供給が途絶えない限り、接続されたＤＣ部の装置に電力を供給する。第三ＤＣＤＣ変換回路１９は、例えば、変圧器を備えた回路である。
【００６１】
図１０は、第２の実施形態の情報処理装置２００が副電源装置１０ａを電力源として、接続されたＤＣ部の装置又はＡＣ部の装置に電力の供給を行う処理の流れの具体例を示すフローチャートである。具体的には、主電源装置２７０が電力源である時に、電源切換判定部２８０１が信号を取得した場合における、情報処理装置２００の処理の流れの具体例を示すフローチャートである。
【００６２】
電源切換判定部２８０１が、取得した信号に基づいて主電源装置２７０を動力源とするか否かを判定する（ＡＣＴ３０１）。電源切換判定部２８０１が取得した信号が、副電源指示信号であった場合（ＡＣＴ３０１：Ｎｏ）、電源切換判定部２８０１は、副電源装置１０ａを電力源とすると判定する。副電源装置１０ａを電力源とすると判定した電源切換判定部２８０１は、判定結果を電源切換部２５０に出力する。判定結果を取得した電源切換部２５０は、電力源を主電源装置２７０に代えて副電源装置１０ａに切換える（ＡＣＴ３０２）。電力源である副電源装置１０ａは、焦電センサ１５に電力を供給する（ＡＣＴ３０３）。焦電センサ１５は、人を検知する（ＡＣＴ３０４）。焦電センサ１５は、人を検知すると検知信号を出力する。電力供給制御部１６ａは検知信号を取得すると、第三ＤＣ給電制御部１６５によって、副電源装置１０ａを制御し、蓄電池１２ａの蓄える電力を第三ＤＣＤＣ変換回路に供給させる。第三ＤＣＤＣ変換回路が給電されることで、ＤＣ部の装置が動作する（ＡＣＴ３０５）。例えば、コントロールパネル２２０及びディスプレイ２１０が動作する。ＤＣ部の装置が動作することで、情報処理装置２００はユーザによる指示を取得することが可能となる。
【００６３】
電力供給制御部１６ａは、予め定められた所定の時間までに、第二供給開始信号を取得したか否かを判定する（ＡＣＴ３０６）。電力供給制御部１６ａが、予め定められた所定の時間までに第二供給開始信号を取得した場合（ＡＣＴ３０６：Ｙｅｓ）、電力供給制御部１６ａは、第二供給開始信号が示す回路を識別する（ＡＣＴ３０８）。具体的には、ＤＣ給電判定部１６１又はＡＣ給電判定部１６３によって、第二供給開始信号が示す回路が第二ＤＣＤＣ変換回路か、ＤＣＡＣ変換回路かを識別する。電力供給制御部１６ａは、副電源装置１０ａを制御して、識別した回路に対して蓄電池１２ａが蓄える電力を供給する（ＡＣＴ３０９）。電力供給制御部１６ａは、第二供給停止信号を取得したか否かを判定する（ＡＣＴ３１０）。電力供給制御部１６ａが第二供給停止信号を取得した場合（ＡＣＴ３１０：Ｙｅｓ）、電力供給制御部１６ａは、副電源装置１０ａを制御して、第二供給停止信号が示す回路への給電を停止し、第二供給開始信号を待機する状態に戻る（ＡＣＴ３１１）。
一方、電力供給制御部１６ａが予め定められた所定の時間までに、第二供給開始信号を取得しなかった場合（ＡＣＴ３０６：Ｎｏ）、電力供給制御部１６ａは次の処理を行う。すなわち、第三ＤＣＤＣ変換回路への蓄電池１２ａの給電を停止するよう副電源装置１０ａを制御する。第三ＤＣＤＣ変換回路へ電力が供給されなり、ＤＣ部の装置は動作を停止する（ＡＣＴ３０７）。
一方、ＡＣＴ３１０において、電力供給制御部１６ａが第二供給停止信号を取得しない場合（ＡＣＴ３１０：Ｎｏ）、蓄電池１２ａは識別した回路に対する電力の供給を継続する。
一方、ＡＣＴ３０１において、電源切換判定部２８０１が取得した信号が、副電源指示信号でなかった場合（ＡＣＴ３０１：Ｎｏ）、情報処理装置２００は、主電源装置２７０を電力源として動作を続ける。
【００６４】
このように構成された実施形態の情報処理装置２００は、蓄電池１２ａと、焦電センサ１５と、電力供給制御部１６ａと、第二ＤＣＤＣ変換回路１７と、ＤＣＡＣ変換回路１８と、第三ＤＣＤＣ変換回路１９とを備えるため、ユーザが近付いた時であって、かつ、接続された負荷に対して電力を供給することを指示する信号が入力された時に、負荷ごとにその負荷が接続された回路（具体的には、第二ＤＣＤＣ変換回路１７、ＤＣＡＣ変換回路１８又は第三ＤＣＤＣ変換回路１９）へ選択的に給電することができ、情報処理装置２００が備える蓄電池１２ａが蓄える電力の消費を減らすことができる。
【００６５】
以上説明した少なくともひとつの実施形態によれば、焦電センサ１５と、負荷ごとに設けられた回路と、それらの回路への電力供給を、焦電センサが人を検知した時にだけ、回路ごとに個別に制御する電力供給制御部１６ａとを持つことにより、自装置が備える蓄電池に蓄えられた電力の消費を減らすことができる。
【００６６】
なお、電源装置１０、副電源装置１０ａ及び情報処理装置２００の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００６７】
なお、副電源装置１０ａは、外付けであってもよく、必ずしも情報処理装置２００と同じひとつの筐体に含まれる必要はない。外付けは、副電源装置１０ａと情報処理装置２００とが異なる筐体であるものの、副電源装置１０ａが情報処理装置２００と電気的に接続され、電力の授受と信号の送受信とができる状態である。
【００６８】
なお、第二ＤＣＤＣ変換回路１７、ＤＣＡＣ変換回路１８及び第三ＤＣＤＣ変換回路１９は、電力供給部の一例である。なお、第三ＤＣＤＣ変換回路１９は、第一の電力供給部の一例である。なお、第二ＤＣＤＣ変換回路１７及びＤＣＡＣ変換回路１８は、第二の電力供給部の一例である。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１０…電源装置、１０ａ…副電源装置、２０…ＤＣ制御信号出力装置、３０…ＡＣ制御信号出力装置、１１…充電回路、１２…蓄電池、１３…入力部、１４…第一ＤＣＤＣ変換回路、１５…焦電センサ、１６…電力供給制御部、１７…第二ＤＣＤＣ変換回路、１８…ＤＣＡＣ変換回路、１９…第三ＤＣＤＣ変換回路、１６１…ＤＣ給電判定部、１６２…ＤＣ給電制御部、１６３…ＡＣ給電判定部、１６４…ＡＣ給電制御部、２００…情報処理装置、２１０…ディスプレイ、２２０…コントロールパネル、２３０…画像形成部、２４０…シート収容部、２５０…電源切換部、２６０…ＤＣ端子、２７０…主電源装置、２８０…制御部、２８０１…電源切換判定部
【図１】
2019041498.tif 000003
【図２】
2019041498.tif 000004
【図３】
2019041498.tif 000005
【図４】
2019041498.tif 000006
【図５】
2019041498.tif 000007
【図６】
2019041498.tif 000008
【図７】
2019041498.tif 000009
【図８】
2019041498.tif 000010
【図９】
2019041498.tif 000011
【図１０】
2019041498.tif 000012